【事件の表示】
　平成６年特許願第２３６８６６号「ディスク装置及びピックアップ制御方法」拒絶査定不服審判事件〔平成８年４月１６日出願公開、特開平８−１０２１５７〕について、次のとおり審決する。
【結　論】
　本件審判の請求は、成り立たない。
【理　由】
　
１．手続の経緯・本願発明 
　本願は、平成６年９月３０日の特許出願であって、その請求項１乃至４に係る発明は、平成１８年１１月６日付けの手続補正書により補正された明細書の特許請求の範囲の請求項１乃至４に記載されたとおりのものと認められるところ、請求項４に係る発明 （以下、「本願発明」という。）は次のとおりである。 
　
「ディスク状記録媒体再生装置におけるピックアップ制御方法であって、
　装置の電源が投入されたときに上記ディスク状記録媒体再生装置内のディスク状記録媒体の有無を検出するステップと、
　上記ディスク状記録媒体の有無を検出するステップにおいて装置内にディスク状記録媒体が無いと判断された場合には上記ピックアップをディスク状記録媒体の管理情報が記録されているＴＯＣ領域に対応する位置へ移動させるステップと、
　上記ピックアップが上記ディスク状記録媒体のＴＯＣ領域に存在することを検出するスイッチの検出出力及びステッピングモータのステップアドレスとにより上記ディスク状記録媒体のＴＯＣ領域に上記ピックアップが存在するか否かを検出する検出ステップと、
　上記検出ステップで上記ピックアップが上記ＴＯＣ領域に対応する位置に存在すると検出された場合には上記ピックアップの移動を停止させるステップと、
　上記ディスク状記録媒体の有無を検出するステップにおいて装置内にディスク状記録媒体有りと判断された場合には上記ピックアップの位置をそのまま保持するステップと
を有することを特徴とするピックアップ制御方法。」 
　
　
２．引用例 
 　一方、当審において平成１８年９月４日付けで通知した拒絶の理由中に引用した特開昭６３−３１０６３号公報（以下、「引用例」という。）は、ディスクプレイヤに関するもので、次の技術事項が記載乃至開示されている。なお、下線は検討の便宜上、当審で付した。
　
（ア）
「
ディスクプレイヤ
ディスクに記録された情報を読みとるピックアップを、ディスクの最内周に記録されたリードインエリアに臨む位置まで移動するよう構成し、交換されたディスクの曲の情報に関するデータ（曲番、曲数、演奏時間等）、一般にＴＯＣ（Ｔａｂｌｅ　ｏｆ　Ｃｏｎｔｅｎｔｓ）データを直ちに読み取る
　
（イ）
「第１図は本発明の第１実施例の
ディスクプレイヤ
（ＳＷ．３）はディスクの有・無を検出するディスク検出スイッチ
（ＳＷ．４）はディスクの径方向に移動するピックアップがディスクの最内周に位置していることを検出する内周検出スイッチ
　（Ｍ０）はディスクを挿入位置から演奏位置まであるいは演奏位置から挿入位置まで移動するディスク移動モータである。
（Ｍ１）はピックアップをディスクの径方向に移動するピックアップ移動モータ
　
（ウ）
「第２図は電源スイッチ（ＰＳ）の投入によりディスクプレイヤをオープンモードあるいはクローズモードに初期設定する初期設定フローチャート図で以下に説明する。
電源スィッチ（ＰＳ）の投入
演奏位置検出スイッチ（ＳＷ．１）がＯＦＦ状態（即ちディスクが演奏位置にセットされていない状態）にあると
　一方、ピックアップ移動モータ（Ｍｌ）はオープンモード記憶フリップ・フロップ回路（９）の（Ｑ）端子、ディスク検出スイッチ（ＳＷ．３）と内周検出スイッチ（ＳＷ．４）の３条件により回転制御される。即ち、回転制御回路（１２）にて、オープンモード記憶フリップ・フロップ回路（９）がリセット状態であれば、ＡＮＤゲート（ＡＮ８）は閉じているためピックアップ移動モータ（Ｍｌ）は停止状態である（ステップ２７）。
オープンモード記憶フリップ・フロップ回路（９）がセット状態であるとステップ２８に進み、ディスク検出スイッチ（ＳＷ．３）がＯＮであるかどうか判定される。ディスクが有れば、即ちディスク検出スイッチ（ＳＷ．３）がＯＮ状態であると、ＡＮＤゲート（ＡＮ８）が閉じることからピックアップ移動モータ（Ｍ１）は停止状態を保つ（ステップ２９）
一方、ディスク検出スイッチ（ＳＷ．３）がＯＦＦであると、ステップ３０に進み、内周検出スイッチ（ＳＷ．４）がＯＮであるかどうか判定される。内周検出スイッチ（ＳＷ．４）がＯＮでピックアップがディスクの最内周に位置していると、フリップ・フロップ回路（１３）のリセット端子に「Ｈ」出力が供給されているので、ステップ２９に進む
内周検出スイッチ（ＳＷ．４）がＯＦＦであれば
ピックアップ移動モータ（Ｍｌ）が作動され、内周検出スイッチ（ＳＷ．４）がＯＮされるまで回転される（ステップ３１）
　
（エ）
　引用例は、「ディスクプレイヤ」について記載されたものであるが、上記摘記事項に第２図のフローチャート図を併せて参照すると、特にステップ２８乃至ステップ３１で、ＳＷ．３又はＳＷ．４の状態に応じてピックアップ移動モータ（Ｍ１）を停止または回転させることが記載されているので、ピックアップの制御方法についての発明が把握されることが明らかである。
　
　上記摘記事項及び図面を総合勘案すると、引用例には、次の発明（以下、「引用例発明」という。）が記載されているものと認めることができる。
　
「ディスクに記録された情報を読みとるピックアップを、ディスクの最内周に記録されたリードインエリアに臨む位置まで移動するよう構成し、交換されたディスクの曲の情報に関するデータ（曲番、曲数、演奏時間等）であるＴＯＣ（
Ｔ
ｏ
Ｃ
　ディスクプレイヤの電源スイッチが投入され、ディスクが演奏位置にセットされていない状態で、オープンモード記憶フリップ・フロップ回路がセット状態にあると進む、
ディスクの有・無を検出するディスク検出スイッチがＯＮかＯＦＦであるか判定されるステップ
　上記ディスク検出スイッチがＯＮかＯＦＦであるか判定されるステップで、上記ディスク検出スイッチがＯＮであると、ピックアップ移動モータは停止状態を保つステップと、　同じく上記ディスク検出スイッチがＯＮかＯＦＦであるか判定されるステップで、上記ディスク検出スイッチがＯＦＦであると、上記ピックアップが上記ディスクの最内周に位置していることを検出する内周検出スイッチがＯＮであるかどうか判定されるステップに進み、
上記内周検出スイッチがＯＦＦであれば、上記ピックアップ移動モータが作動され、上記内周検出スイッチがＯＮされるまで、上記ピックアップ移動モータが回転するステップ
　を有する、ディスクプレイヤのピックアップ制御方法。」
　
　
３．対　比 
　本願発明と引用例発明とを対比する。 
　両者はピックアップ制御方法に関するものである点で一致している。
　引用例発明における「ディスク」及び「ディスクプレイヤ」は、それぞれ本願発明における「ディスク状記録媒体」及び「ディスク状記録媒体再生装置」のことである。
　引用例発明と本願発明とにおいて、「ピックアップ」及び「電源」はそれぞれ共通している。
　引用例発明における「ディスクプレイヤの電源スイッチが投入され、ディスクが演奏位置にセットされていない状態で、オープンモード記憶フリップ・フロップ回路がセット状態にあると進む、
ディスクの有・無を検出するディスク検出スイッチがＯＮかＯＦＦであるか判定されるステップ（ステップ２８）
　
引用例発明の、
「
上記ディスク検出スイッチがＯＮかＯＦＦであるか判定されるステップで、上記ディスク検出スイッチがＯＮであると、ピックアップ移動モータは停止状態を保つステップ
は、ディスクプレイヤ内にディスクが有る場合に、ピックアップは停止状態を保って、ピックアップ移動モータにより移動されない点で、本願発明の
「ディスク状記録媒体の有無を検出するステップにおいて装置内にディスク状記録媒体有りと判断された場合にはピックアップの位置をそのまま保持するステップ」
に相当する。
　
　引用例発明の、
「
同じく上記ディスク検出スイッチがＯＮかＯＦＦであるか判定されるステップで、上記ディスク検出スイッチがＯＦＦであると、上記ピックアップが上記ディスクの最内周に位置していることを検出する内周検出スイッチがＯＮであるかどうか判定されるステップに進み、
上記内周検出スイッチがＯＦＦであれば、上記ピックアップ移動モータが作動され、上記内周検出スイッチがＯＮされるまで、上記ピックアップ移動モータが回転するステップ
は、ディスクプレイヤ内にディスクが無い場合に、ピックアップがＴＯＣ領域のあるディスクの最内周に移動させられる点で、本願発明の、
「ディスク状記録媒体の有無を検出するステップにおいて装置内にディスク状記録媒体が無いと判断された場合にはピックアップをディスク状記録媒体の管理情報が記録されているＴＯＣ領域に対応する位置へ移動させるステップ」
に相当し、又、ピックアップがＴＯＣ領域のあるディスク最内周にあるか否かをスイッチで識別する点で、本願発明の、
「上記ディスク状記録媒体のＴＯＣ領域に上記ピックアップが存在するか否かを検出する検出ステップ」とは、
「上記ピックアップが上記ディスク状記録媒体のＴＯＣ領域に存在することを検出するスイッチの検出出力」
により検出している点に限り一致し、さらには、ピックアップを最内周まで移動させて、最内周で停止させる点で、本願発明の、
「上記検出ステップで上記ピックアップが上記ＴＯＣ領域に対応する位置に存在すると検出された場合には上記ピックアップの移動を停止させるステップ」に相当する。
　
　そうすると、本願発明と引用例発明とは、次の点で一致する。
〈一致点〉 
「ディスク状記録媒体再生装置におけるピックアップ制御方法であって、
　装置の電源が投入されたときに上記ディスク状記録媒体再生装置内のディスク状記録媒体の有無を検出するステップと、
　上記ディスク状記録媒体の有無を検出するステップにおいて装置内にディスク状記録媒体が無いと判断された場合には上記ピックアップをディスク状記録媒体の管理情報が記録されているＴＯＣ領域に対応する位置へ移動させるステップと、
　上記ピックアップが上記ディスク状記録媒体のＴＯＣ領域に存在することを検出するスイッチの検出出力により上記ディスク状記録媒体のＴＯＣ領域に上記ピックアップが存在するか否かを検出する検出ステップと、上記検出ステップで上記ピックアップが上記ＴＯＣ領域に対応する位置に存在すると検出された場合には上記ピックアップの移動を停止させるステップと、
　上記ディスク状記録媒体の有無を検出するステップにおいて装置内にディスク状記録媒体有りと判断された場合には上記ピックアップの位置をそのまま保持するステップとを有するピックアップ制御方法。」
　
　一方、次の点で相違する。
〈相違点〉
　ディスク状記録媒体のＴＯＣ領域にピックアップが存在するか否かを検出する検出ステップにおいて、本願発明では、ピックアップがディスク状記録媒体のＴＯＣ領域に存在することを検出するスイッチの検出出力に加え、「及びステッピングモータのステップアドレスと」により検出するのに対して、引用例発明は、内周検出スイッチのみにより検出している点。
　
　
４．当審の判断 
　そこで、上記相違点について検討する。 
　ステッピングモータのステップアドレスにより、ピックアップの位置を検出する手段は、例えば、特開昭６０−６６３７１号公報、特開平６−６０５７０号公報、特開平６−２２３５１６号公報等にて、本願出願前に周知の技術にすぎない。 
　誤った検出を防ぐために検出手段を複数設けることは、信頼性向上のための常套手段にすぎないから、引用例発明において、ディスクの最内周であるＴＯＣ領域にピックアップが存在するか否かを検出する検出ステップにおいて、内周検出スイッチのみによる検出の誤りを防止するために、ステッピングモータのアドレスによりピックアップの位置を知る手段を付加して、ピックアップがディスクの最内周に来たことを内周検出スイッチの検出出力及びステッピングモータのステップアドレスにより判定するように構成する程度のことは、当業者が容易に想到しうるものである。
　そして、その効果も引用例及び周知技術から十分に予測できたものであって、格別のものとはいえない。 
　
　なお、以上の検討では、引用例発明において、ディスクプレイヤの電源スイッチが投入されたとき、「ディスクが演奏位置にセットされていない状態」の場合に、ディスクの有無を判断する点については、単に要件が付加されているにすぎないものであるから、本願発明との相違点としなかったが、仮に、引用例発明において「ディスクが演奏位置にあるか否かを判断し、ディスクが演奏位置にセットされていない場合に」ディスクの有無を判定する点を、本願発明との相違点としたとしても、ディスクを演奏位置とそうでない位置とに移動するディスク移動モータを持たないディスク再生装置も普通に知られており、当該ディスク再生装置においては、ディスクが演奏位置にあるか否かを問題にすることが無意味であることは自明な事項にすぎないから、引用例発明を、ディスク移動モータを持たないディスク再生装置に適用するに当たり、電源投入時に、ディスクが演奏位置にあるか否かを判断するステップを省略して、ディスクの有無を判定するようにすることは、当業者が容易に想到しうることであり、それにより奏される効果も当業者が予測しうるものにすぎない。
　
　
 ５．むすび 
　以上のとおりであるから、本願の請求項４に係る発明は、引用例に記載された発明及び周知技術に基づいて当業者が容易に発明をすることができたものであり、特許法第２９条第２項の規定により特許を受けることができない。 
　したがって、本願は、その余の請求項について論及するまでもなく、拒絶すべきものである。 
　
　よって、結論のとおり審決する。